(57)【要約】      （修正有）【課題】折板屋根等から懸垂する固定と、鼻隠し板への固定との両方に使用可能な軒樋吊具を提供する。【解決手段】軒樋２を保持する軒樋保持部材１と鼻隠し板８に固定されて軒樋保持部材を吊り下げ支持する固定部材４とを備えた軒樋吊具であって、軒樋保持部材は、保持部本体１０を有し、保持部本体には、上下方向に貫通する長穴１３が設けられ、長穴は、屋根から吊り下げ固定する吊りボルトを挿通可能な幅を有し、軒樋保持部材と固定部材とを連結するための連結固定部材６とともにアダプター部材５が長穴に嵌合可能に具備され、固定部材のアーム部には、上下方向に貫通した貫通孔４４が設けられる。アダプター部材には、上下方向に貫通した挿通孔５１が設けられ、保持部本体の長穴にアダプター部材を嵌合した状態で、アダプター部材の挿通孔とアーム部の貫通孔に、連結固定部材を挿通させて固定させることにより、軒樋保持部材と固定部材を連結可能とする。【選択図】図１
2018053484.tif 000002
【特許請求の範囲】
【請求項１】
少なくとも軒樋を保持する軒樋保持部材と建物の鼻隠し板に固定されて前記軒樋保持部材を吊り下げ支持する固定部材とを備えた軒樋吊具であって、
前記軒樋保持部材は、軒樋の上方開口部に前後方向に架け渡される保持部本体を有し、当該保持部本体には、軒樋の前後に設けられた耳部を保持する前耳保持部及び後耳保持部と上下方向に貫通する前後方向への長穴が設けられ、
前記長穴は、屋根から吊り下げ固定する吊りボルトを挿通可能な幅を有し、
前記軒樋保持部材と固定部材とを連結するための連結固定部材とともにアダプター部材が前記長穴に嵌合可能に具備され、
前記固定部材は、鼻隠し板に固定可能な固定部と該固定部の前面部から突設されたアーム部を有し、前記アーム部には、上下方向に貫通した貫通孔が設けられ、
前記アダプター部材には、上下方向に貫通した挿通孔が設けられ、
前記保持部本体の前記長穴に前記アダプター部材を嵌合した状態で、前記アダプター部材の挿通孔と前記アーム部の貫通孔に、連結固定部材を挿通させて固定させることにより、前記軒樋保持部材と前記固定部材を連結可能とすることを特徴とする軒樋吊具。
【請求項２】
前記アダプター部材が、前記長穴と嵌合するとともに、前記挿通孔に前記接続部材のねじが螺合するねじ山が形成されたナットであることを特徴する請求項１に記載の軒樋吊具。
【請求項３】
前記接続部材のねじが根角ねじであり、前記アダプター部材の前記挿通孔が前記根角ねじの根角部が嵌合する形状に形成されていることを特徴する請求項１に記載の軒樋吊具。
【発明の詳細な説明】
【技術分野】
【０００１】
本発明は、軒樋吊具に関する。
【背景技術】
【０００２】
近年、工場、倉庫、体育館等の規模の大きな建物の屋根には折板屋根や波型スレート屋根が用いられており、これらの屋根に使用する軒樋吊具として特許文献１に示すような軒樋吊具が知られている。
【０００３】
特許文献１の軒樋吊具は、図８に示すように、折板屋根等７の軒先から吊り下げられる吊りボルト３１と、軒樋２を保持する軒樋保持部材１とを備えている。軒樋保持部材１は、吊りボルト３１が挿通される吊りボルト挿通長穴１３を有しており、この吊りボルト挿通長穴１３を介して吊りボルト３１に装着される。
【０００４】
具体的には、吊りボルト３１には、軒樋保持部材１の上方への移動を規制する移動規制用ナット３４が設けられており、軒樋保持部材１は、吊りボルト挿通長穴１３に吊りボルト３１を挿通した状態で移動規制用ナット３４の下面に当接するように配置されている。
【０００５】
そして、この状態で吊りボルト３１の下方から固定用ナット３５を螺合させることにより、軒樋保持部材１は、上方に位置する移動規制用のナット３４と下方に位置する固定用ナット３５とで挟持され、吊りボルト３１に装着されている。
【０００６】
矢印ａのように、移動規制部のナット３４の上下位置を変更することで、軒樋保持部材１の高さを調整することができる。また、矢印ｂのように、吊りボルト挿通長穴１３への吊りボルト３１の前後位置を調整することができる。これにより、屋根の軒先に対して軒樋２を適切な位置に設置することが可能となっている。
【０００７】
一方、上記の折板屋根等７の軒先から吊り下げて固定する軒樋吊具のほか、特許文献２に示すような一般の住宅建築にみられる鼻隠し板を有する屋根に固定する軒樋吊具が知られている。
【０００８】
特許文献２の軒樋吊具は、図９に示すように、鼻隠し板８に固定する縦板状の固定部４１と固定部４１の前面部から前方に向けて突設するアーム部４２を有する固定部材４と、軒樋２を保持する軒樋保持部材９を備えている。
【０００９】
アーム部４２には上下に貫通する貫通孔４４が形成されており、軒樋保持部材９には前後に長い長穴９３が形成されている。そして、アーム部４２の貫通孔４４と軒樋保持部材９の長穴９３にビス等の連結固定部材６のねじ６１を挿通して締結させることで、固定部材４に対して軒樋保持部材９が前後方向にスライド可能に連結されており、軒先に対して軒樋２を適切な位置に設置することが可能となっている。
【先行技術文献】
【特許文献】
【００１０】
【特許文献１】特開２０１２−１１２１３０号公報
【特許文献２】特開２００４−２３２２４２号公報
【発明の概要】
【発明が解決しようとする課題】
【００１１】
上記のように、従来、折板屋根等７に固定する軒樋吊具と、一般の住宅建築の鼻隠し板８に固定する軒樋吊具とでは各々の構造が相違している。しかしながら、近年では、軒樋吊具の汎用性の観点から、折板屋根等７に使用する既存の軒樋吊具の部材を鼻隠し板８に固定する軒樋吊具の部材として使用可能な軒樋吊具の開発が望まれていた。
【００１２】
このような状況において、折板屋根等７に用いる軒樋吊具の軒樋保持部材１と鼻隠し板８に使用する軒樋吊具の軒樋保持部材９とを共用部材として用いることが考えられる。しかしながら、通常、折板屋根等７に用いる軒樋吊具で用いる吊りボルト３１の径は、鼻隠し板８に使用する軒樋吊具の連結固定部材６の径よりも大きいものが用いられている。具体的には、吊りボルト３１の径は通常９．８ｍｍの規格であり、連結固定部材６のねじ６１の径は通常５．５ｍｍの規格である。
【００１３】
このため、折板屋根等７に用いる軒樋吊具の軒樋保持部材１を鼻隠し板８に使用する軒樋吊具の軒樋保持部材９として用いる場合、連結固定部材６のねじ６１が吊りボルト挿通長穴１３から抜けてしまう。そのため、確実に軒樋吊持体９と固定部材４を連結することができない。
【００１４】
また、逆に、鼻隠し板７に使用する軒樋吊具の軒樋保持部材９を折板屋根等８に用いる軒樋吊具の軒樋保持部材１として用いる場合には、吊りボルト３１の径が長穴９３の幅よりも大きいため、吊りボルト３１が長穴９３に挿通できない。
【００１５】
本発明は、上記従来の問題点に鑑みてなされたものであり、折板屋根等から懸垂する固定と、鼻隠し板への固定との両方に使用することが可能な軒樋吊具を提供することを課題とする。
【課題を解決するための手段】
【００１６】
本発明は、上記の課題を解決するために、以下のことを特徴としている。
【００１７】
すなわち、本発明の軒樋吊具は、少なくとも軒樋を保持する軒樋保持部材と建物の鼻隠し板に固定されて前記軒樋保持部材を吊り下げ支持する固定部材とを備えた軒樋吊具であって、前記軒樋保持部材は、軒樋の上方開口部に前後方向に架け渡される保持部本体を有し、当該保持部本体には、軒樋の前後に設けられた耳部を保持する前耳保持部及び後耳保持部と上下方向に貫通する前後方向への長穴が設けられ、前記長穴は、屋根から吊り下げ固定する吊りボルトを挿通可能な幅を有し、前記軒樋保持部材と固定部材とを連結するための連結固定部材とともにアダプター部材が前記長穴に嵌合可能に具備され、前記固定部材は、鼻隠し板に固定可能な固定部と該固定部の前面部から突設されたアーム部を有し、前記アーム部には、上下方向に貫通した貫通孔が設けられ、前記アダプター部材には、上下方向に貫通した挿通孔が設けられ、前記保持部本体の前記長穴に前記アダプター部材を嵌合した状態で、前記アダプター部材の挿通孔と前記アーム部の貫通孔に、連結固定部材を挿通させて固定させることにより、前記軒樋保持部材と前記固定部材を連結可能とすることを特徴とする。
【発明の効果】
【００１８】
本発明によれば、鼻隠し板への固定を可能とする軒樋吊具において、吊りボルト挿通のための長穴へのアダプター部材を嵌合する構造としている。このアダプター部材を取り外すことで長穴の幅を拡張することができる。これにより、径の大きな吊りボルトを挿通可能とすることで、折板屋根等から懸垂する軒樋にも適用することができる。鼻隠し板への固定を折板屋根等から懸垂する固定の両方に共通する部材としての軒樋吊具を提供することが可能となる。
【図面の簡単な説明】
【００１９】
【図１】鼻隠し板に固定した本発明の軒樋吊具の一実施形態を示す側面図である。
【図２】軒樋保持部材にアダプター部材を介して固定部材を連結する状態を説明する分解斜視図である。
【図３】折板屋根から懸垂させて固定した軒樋吊具の一実施形態を示す側面図である。
【図４】アダプター部材としてナットを用いる実施形態の概略斜視図である。
【図５】アダプター部材に根角ボルトを用いる実施形態の概略斜視図である。
【図６】根角ボルトの根角部をアダプター部材とした実施形態の概略斜視図である。
【図７】アダプター部材の上面を下面よりも幅広としたアダプター部材を長穴に嵌合した状態を示す概略断面図である。
【図８】折板屋根から懸垂させて固定した従来の軒樋吊具を示す側面図である。
【図９】鼻隠し板に固定した従来の軒樋吊具を示す側面図である。
【発明を実施するための形態】
【００２０】
本発明の軒樋吊具について図面に基づいて以下に詳述する。図１は、鼻隠し板に固定した本発明の軒樋吊具の一実施形態を示す側面図であり、図２は、軒樋保持部材にアダプター部材を介して固定部材を連結する状態を説明する分解斜視図である。
【００２１】
本実施形態の軒樋吊具は、少なくとも軒樋２を保持する軒樋保持部材１と建物の鼻隠し板８に固定されて軒樋保持部材１を吊り下げ支持する固定部材４とを備えた軒樋吊具である。
【００２２】
軒樋保持部材１は、軒樋２の上方開口部に前後方向に架け渡される保持部本体１０を有し、保持部本体１０には、軒樋２の前後に設けられた耳部を保持する前耳保持部１１及び後耳保持部１２と上下方向に貫通する前後方向への長穴１３が設けられている。また、長穴１３は、折板屋根等の屋根７から吊り下げ固定する吊りボルト３１を挿通可能な幅を有している。
【００２３】
また、軒樋吊具には、軒樋保持部材１と固定部材４とを連結するための連結固定部材６とともにアダプター部材５が長穴１３に嵌合可能に具備されている。
【００２４】
固定部材４は、鼻隠し板８に固定可能な固定部４１と固定部４１の前面部から突設されたアーム部４２を有し、アーム部４２には、上下方向に貫通した貫通孔４４が設けられ、アダプター部材５には、上下方向に貫通した挿通孔５１が設けられている。
【００２５】
そして、保持部本体１の長穴１３にアダプター部材５を嵌合した状態で、アダプター部材５の挿通孔５１とアーム部４２の貫通孔４４に、連結固定部材６を挿通させて固定させることにより、軒樋保持部材１と固定部材４を連結可能とする。
【００２６】
まず、建物の鼻隠し板８に固定する軒樋吊具の実施形態について説明する。
【００２７】
本実施形態の鼻隠し板８に固定する軒樋吊具は、図１に示すように、建物の鼻隠し板８に固定する固定部４１と固定部４１の前面部から突設されたアーム部４２を有する既存の固定部材４と、軒樋２を保持する軒樋保持部材１を備えている。
【００２８】
軒樋保持部材１は、軒樋２の上方開口部の前後に架け渡される長尺の保持部本体１０を有しており、保持部本体１０の前端部には軒樋２の前耳部２１を吊持する前耳保持部１１が形成され、後端部には軒樋２の後耳部２２を保持する後耳保持部１２が形成されている。
【００２９】
また、保持部本体１０には、図２に示すように、上下に貫通するとともに前後に長い長穴１３が形成されている。長穴１３の長さは特に限定されるものではなく、軒樋保持部材１の前後方向の移動幅を考慮して決定することができる。
【００３０】
ここで長穴１３の幅は、後述する図３のような吊りボルト３１が挿通可能な幅であり、用いる吊りボルト３１の径に応じて適宜決定することができる。具体的には、通常用いられる吊りボルト３１の径が９．８ｍｍの規格であるので、少なくともこれ以上の寸法とすることが考慮される。
【００３１】
本実施形態の軒樋吊具では、軒樋保持部材１の保持部本体１０に形成された長穴１３にアダプター部材５を嵌合させ、アダプター部材５を介して固定部材４を連結し、建物の鼻隠し板８に軒樋吊具を固定している。なお、本発明において鼻隠し板８とは、本実施形態の軒樋吊具が取り付け可能な屋外面の部位を意味し、鼻隠し板８の他、他の名称の部位や部材、そしてそれらの周辺部も含むものである。
【００３２】
固定部材４の固定部４１は、建物の鼻隠し板８に軒樋吊具を固定する部材であり、固定部４１の形状は固定する鼻隠し板８の材質や状態によって適宜決定することができる。
また、鼻隠し板８に対する固定部４１の固定方法は、固定部材４が容易に外れない固定方法であれば特に制限はなく、例えば、固定部材４の固定部４１に形成された固定孔４５にねじ等４６を通して鼻隠し板８に固定することができる。
【００３３】
固定部４１の前面部から突設されたアーム部４２は、突出基端が固定端となり、突出先端が自由端となる片持ちの突出部材であり、その先端部には一段下がった段差部４３が形成され、段差部４３には上下に貫通する貫通孔４４が形成されている。この貫通孔４４には軒樋保持部材１を連結して固定するための連結固定部材６が挿通されている。
【００３４】
アダプター部材５は、保持部本体１０に設けられた長穴１３に嵌合させることにより、連結固定部材６を挿通可能とし、連結固定部材６により固定部材４と軒樋保持部材１を接続可能とする部材である。
【００３５】
アダプター部材５の幅方向の寸法は長穴１３の幅と一致しており、嵌合させた状態でがたつきが生じないようになっている。また、長穴１３に嵌合させた状態における長さ方向の寸法は、長穴１３の長さよりも短く設定されており、長穴１３の前後方向の所定の位置で嵌合させることができるようになっている。
【００３６】
また、アダプター部材５には上下に貫通する挿通孔５１が設けられている。挿通孔５１は、連結固定部材６を挿通可能とし、連結固定部材６の締結によりアダプター部材５を介して軒樋保持部材１と固定部材４を連結する。
【００３７】
具体的には、長穴１３の所定の位置にアダプター部材５を嵌合させた状態で、アダプター部材５の挿通孔５１と、アーム部４２の貫通孔４４の位置を合わせて連通状態にし、そこに連結固定部材６を挿通して締結させる。これにより、軒樋保持部材１と固定部材４を確実に連結させることができる。
【００３８】
連結固定部材６は、アダプター部材５の挿通孔５１とアーム部４２の貫通孔４４に挿通でき、軒樋保持部材１と固定部材４を連結させて固定できれば特に限定されるものではないが、通常、ボルトやねじ６１とナットや蝶ナット６２等を組み合わせて用いることができる。
【００３９】
なお、通常、連結固定部材６として用いられるボルトやねじ６１の径の規格は５．５ｍｍであるので、アダプター部材５の挿通孔５１の寸法はこのボルトやねじ６１の径の規格を考慮して決定することが考慮される。
【００４０】
アダプター部材５の形状は、例えば、図４に示すように、アダプター部材５が長穴１３と嵌合するとともに、挿通孔５１に連結固定部材６のねじ６１が螺合するねじ山が形成されたナット５２であることが好ましい。
【００４１】
アダプター部材５としてナット５２を用いることにより、予め連結固定部材６のねじ６１にアダプター部材５としてのナット５２を螺合させて長穴１３に嵌合させることができるため、軒樋保持部材１と固定部材４の連結作業を簡略化することができる。
【００４２】
また、図５に示すように、連結固定部材６のねじを根角ねじ６４とし、アダプター部材５の挿通孔５１を根角ねじ６４の根角部６５が嵌合する形状に形成することが好ましい。
【００４３】
アダプター部材５の挿通孔５１を根角ねじ６４の根角部６５が嵌合する形状として、連結固定部材６に根角ねじ６４を用いることにより、アダプター部材５と連結固定部材６のさらに軒樋保持部材１と固定部材４の連結の作業性を向上させることができる。
【００４４】
なお、連結固定部材６において、ねじ６１の頭の径や蝶ナット６２の幅の寸法が長穴１３の幅よりも小さい場合には、図１、図２に示すように、長穴１３の幅よりも大きい寸法のワッシャ６３や座金を用いて挟み込むことが考慮される。
【００４５】
次に、折板屋根等７の軒先から懸垂させて固定する場合の軒樋吊具の実施形態について説明する。図３に、折板屋根から懸垂させて固定した軒樋吊具の一実施形態の側面図を示す。
【００４６】
本実施形態の軒樋吊具では、軒樋２を保持する既存の軒樋保持部材１に、折板屋根等７の軒先から懸垂された吊りボルト３１が固定されている。
【００４７】
ここで、軒樋２を保持する軒樋保持部材１は、上記の建物の鼻隠し板８に固定する軒樋吊具の軒樋保持部材１と同様のものを用いる。即ち、建物の鼻隠し板８に固定する軒樋吊具から、固定部材４、アダプター部材５及び連結固定部材６を取り外した状態の軒樋保持部材１である。
【００４８】
長尺の吊りボルト３１は、屋根取付け部及び本体取付け部により構成されており、吊りボルト３１の上端部には、屋根取付部が設けられるとともに、下端部には、軒樋保持部材１を固定するための本体取付部が設けられている。
【００４９】
屋根取付部は、一対のナット３２と、この一対のナット３２の間にパッキン３３を有している。パッキン３３は、折板屋根等７の上面に当接させるものであり、折板屋根等７に穿設された取付孔からの雨水の漏れを防ぐとともに振動を吸収する部材である。
【００５０】
本体取付部は、軒樋保持部材１の上方への移動を規制するための移動規制用ナット３４と、移動を規制した軒樋保持部材１を挟持固定する固定用ナット３５とを有している。
【００５１】
吊りボルト３１には、軒樋保持部材１の上方への移動を規制する移動規制用ナット３４が螺合して設けられており、軒樋保持部材１は、保持部本体１０の長穴１３に吊りボルト３１を挿通した状態で移動規制用ナット３４の下面に当接するように配置されている。そして、この状態で吊りボルト３１の下方から固定用ナット３５を螺合させており、軒樋保持部材１は、上方に位置する移動規制用のナット３４と下方に位置する固定用ナット３５とで挟持されて吊りボルト３１に装着されている。
【００５２】
上記の構造の吊りボルト３１によれば、移動規制部のナット３４の上下位置を変更することで、軒樋保持部材１の高さを調整することができ、長穴１３の挿通位置を変更することで、軒樋保持部材１の前後位置を調整することができる。即ち、折板屋根等７の軒先に対して軒樋２を適切な位置に設置することが可能となっている。
【００５３】
上記のように、建物の鼻隠し板８に固定する軒樋吊具から、固定部材４、アダプター部材５及び連結固定部材６を取り外すことにより、既存の吊りボルト３１を接続することが可能となる。即ち、鼻隠し板８と折板屋根等７の両方に使用することが可能な軒樋吊具とすることができる。
【００５４】
以上、本発明の軒樋吊具を一実施形態に基づいて説明したが、本発明は上記の実施形態に限定されるものではなく、その要旨を逸脱しない範囲内において種々の変形、変更が可能である。
【００５５】
例えば、上記実施形態の軒樋吊具では、連結固定部材６とアダプター部材５を別体の部材としたが、図６に示すように、根角ねじ６４の根角部６５の幅を長穴１３の幅の寸法とすることにより、根角部６５自体をアダプター部材５とすることもできる。
【００５６】
また、上記実施形態の軒樋吊具では、アダプター部材５の断面形状を矩形形状としたが、図７に示すように、アダプター部材５の断面形状を下面より上面を幅広の台形形状とし、長穴１３の形状もこれに一致する形状とすることができる。これにより、アダプター部材５を長穴１３に嵌合させる際に落ち込みを防止できるため、連結固定部材６による連結の作業性をより向上させることができる。
【符号の説明】
【００５７】
１  軒樋保持部材
１０  保持部本体
１１  前耳保持部
１２  後耳保持部
１３  長穴
２  軒樋
２１、２２  耳部
３１  吊りボルト
４  固定部材
４１  固定部
４２  アーム部
４４  貫通孔
５  アダプター部材
５１  挿通孔
６  連結固定部材
６４  根角ねじ
６５  根角部
７  折板屋根等
８  鼻隠し板
【図１】
2018053484.tif 000003
【図２】
2018053484.tif 000004
【図３】
2018053484.tif 000005
【図４】
2018053484.tif 000006
【図５】
2018053484.tif 000007
【図６】
2018053484.tif 000008
【図７】
2018053484.tif 000009
【図８】
2018053484.tif 000010
【図９】
2018053484.tif 000011